(57)【要約】【課題】複数の種類の操作先サーバが管理する情報資源に共通の操作でアクセスする。【解決手段】実行コマンド情報テーブル１１３は、操作を識別する操作ＩＤと、操作先サーバ１３０のＯＳおよび／またはシェルの種別を識別するアクセス種別と、操作先サーバ１３０で実行される実行コマンドとを含む実行コマンド情報を格納する。操作先サーバ情報テーブル１１４は、操作先サーバ１３０を識別するサーバＩＤと、アクセス種別とを含む操作先サーバ情報を格納する。操作判定部１１１は、システム操作端末１２０からサーバＩＤと操作ＩＤとを含む操作要求情報１５１を受信すると、実行コマンド情報テーブル１１３と操作先サーバ情報テーブル１１４とを参照して、操作要求情報１５１に含まれるサーバＩＤで識別される操作先サーバ１３０に実行させる実行コマンドを判定する。サーバ操作部１１２は、実行コマンドを含む実行指示１５２を操作先サーバ１３０に送信する。【選択図】図１
2015184889.tif 000002
【特許請求の範囲】
【請求項１】
システム操作者の操作を識別する操作識別情報と、操作先サーバのＯＳおよび／またはシェルの種別を識別する種別識別情報と、操作先サーバで実行される実行コマンドとを含む実行コマンド情報が格納された実行コマンド情報テーブルと、
操作先サーバを識別するサーバ識別情報と、種別識別情報とを含む操作先サーバ情報が格納された操作先サーバ情報テーブルと、
システム操作端末からサーバ識別情報と操作識別情報とを含む操作要求情報を受信すると、当該操作要求情報に含まれるサーバ識別情報を含む操作先サーバ情報を前記操作先サーバ情報テーブルから取得し、当該取得した操作先サーバ情報に含まれる種別識別情報と前記操作要求情報に含まれる操作識別情報とを含む実行コマンド情報を前記実行コマンド情報テーブルから取得し、前記受信した操作要求情報に含まれるサーバ識別情報で識別される操作先サーバに当該取得した実行コマンド情報に含まれる実行コマンドを実行させると判定する操作判定手段と、
前記操作判定手段によって実行させると判定された実行コマンドを含む実行指示を前記操作要求情報に含まれるサーバ識別情報によって識別される操作先サーバに送信し、当該操作先サーバから実行結果を受信すると、前記操作要求情報を送信したシステム操作端末に当該実行結果を返信するサーバ操作手段と、
を備えることを特徴とするシステム操作装置。
【請求項２】
前記操作要求情報が、サーバ識別情報と操作識別情報の組みを複数含み、
前記操作判定手段が、前記受信した操作要求情報に含まれる各組のサーバ識別情報で識別される各操作先サーバに実行させる各実行コマンドを判定し、
前記サーバ操作手段が、前記操作判定手段によって実行させると判定された各実行コマンドを含む実行指示を前記操作要求情報に含まれる各サーバ識別情報によって識別される各操作先サーバに送信し、当該各操作先サーバから実行結果を受信すると、前記操作要求情報を送信したシステム操作端末に当該各実行結果を返信する、
ことを特徴とする請求項１に記載のシステム操作装置。
【請求項３】
システム操作者の操作を識別する操作識別情報と操作先サーバのＯＳおよび／またはシェルの種別を識別する種別識別情報と操作先サーバで実行される実行コマンドとを含む実行コマンド情報が格納された実行コマンド情報テーブル、および操作先サーバを識別するサーバ識別情報と種別識別情報とを含む操作先サーバ情報が格納された操作先サーバ情報テーブルを有するシステム操作装置におけるシステム操作方法であって、
システム操作端末からサーバ識別情報と操作識別情報とを含む操作要求情報を受信すると、当該操作要求情報に含まれるサーバ識別情報を含む操作先サーバ情報を前記操作先サーバ情報テーブルから取得し、当該取得した操作先サーバ情報に含まれる種別識別情報と前記操作要求情報に含まれる操作識別情報とを含む実行コマンド情報を前記実行コマンド情報テーブルから取得し、前記受信した操作要求情報に含まれるサーバ識別情報で識別される操作先サーバに当該取得した実行コマンド情報に含まれる実行コマンドを実行させると判定する操作判定ステップと、
前記操作判定ステップにおいて実行させると判定された実行コマンドを含む実行指示を前記操作要求情報に含まれるサーバ識別情報によって識別される操作先サーバに送信し、当該操作先サーバから実行結果を受信すると、前記操作要求情報を送信したシステム操作端末に当該実行結果を返信するサーバ操作ステップと、
を備えることを特徴とするシステム操作方法。
【発明の詳細な説明】
【技術分野】
【０００１】
本発明は、実行コマンドが異なる複数の種類の操作先サーバを有する情報資源管理システムにおいて、情報資源を管理する各操作先サーバを操作するシステム操作装置およびシステム操作方法に関する。
【背景技術】
【０００２】
操作先サーバの管理する情報資源にアクセスする際、システム操作者への負担を軽減し、誤操作を防止するため、システム管理者が操作内容を操作システムに予め登録し、システム操作者に単純な操作で情報資源へアクセスさせる技術が知られている。また、複数の情報資源へのアクセス方法が同一の場合、複数の情報資源へ一括してアクセスする技術が知られている。
なお、本発明に関連する公知技術文献としては下記の特許文献１がある。
【先行技術文献】
【特許文献】
【０００３】
【特許文献１】特開２０１１−８５７５号公報
【発明の概要】
【発明が解決しようとする課題】
【０００４】
しかし、情報資源を管理する操作先サーバの種類が異なると、種類の異なる操作先サーバ毎に操作者の操作方法が異なるため、一括操作で複数の情報資源にアクセスすることができない。具体的には、同一の操作であっても各操作先サーバに応じた実行コマンドを送信しなければならないため、操作先サーバの一括操作を行うことができない。
このため、操作先サーバの種類が複数であると、システム操作者は操作先サーバ毎に操作しなければならず、操作先サーバが増えるほど、システム操作者の操作が複雑になり、操作回数も増える。このため、操作先サーバが増えるとシステム操作者が誤操作を行ってしまう危険性が増す。
【０００５】
本発明の目的は、実行コマンドが異なる複数の種類の操作先サーバを有する情報資源管理システムにおいて、各操作先サーバの管理する情報資源に共通の操作でアクセスすることができるシステム操作装置およびシステム操作方法を提供することである。
【課題を解決するための手段】
【０００６】
上記目的を達成するために、本発明のシステム操作装置は、
システム操作者の操作を識別する操作識別情報と、操作先サーバのＯＳおよび／またはシェルの種別を識別する種別識別情報と、操作先サーバで実行される実行コマンドとを含む実行コマンド情報が格納された実行コマンド情報テーブルと、
操作先サーバを識別するサーバ識別情報と、種別識別情報とを含む操作先サーバ情報が格納された操作先サーバ情報テーブルと、
システム操作端末からサーバ識別情報と操作識別情報とを含む操作要求情報を受信すると、当該操作要求情報に含まれるサーバ識別情報を含む操作先サーバ情報を前記操作先サーバ情報テーブルから取得し、当該取得した操作先サーバ情報に含まれる種別識別情報と前記操作要求情報に含まれる操作識別情報とを含む実行コマンド情報を前記実行コマンド情報テーブルから取得し、前記受信した操作要求情報に含まれるサーバ識別情報で識別される操作先サーバに当該取得した実行コマンド情報に含まれる実行コマンドを実行させると判定する操作判定手段と、
前記操作判定手段によって実行させると判定された実行コマンドを含む実行指示を前記操作要求情報に含まれるサーバ識別情報によって識別される操作先サーバに送信し、当該操作先サーバから実行結果を受信すると、前記操作要求情報を送信したシステム操作端末に当該実行結果を返信するサーバ操作手段と、
を備えることを特徴とする。
【０００７】
好ましくは、本発明のシステム操作装置は、
前記操作要求情報が、サーバ識別情報と操作識別情報の組みを複数含み、
前記操作判定手段が、前記受信した操作要求情報に含まれる各組のサーバ識別情報で識別される各操作先サーバに実行させる各実行コマンドを判定し、
前記サーバ操作手段が、前記操作判定手段によって実行させると判定された各実行コマンドを含む実行指示を前記操作要求情報に含まれる各サーバ識別情報によって識別される各操作先サーバに送信し、当該各操作先サーバから実行結果を受信すると、前記操作要求情報を送信したシステム操作端末に当該各実行結果を返信する、
ことを特徴とする。
【０００８】
また、本発明のシステム操作方法は、
システム操作者の操作を識別する操作識別情報と操作先サーバのＯＳおよび／またはシェルの種別を識別する種別識別情報と操作先サーバで実行される実行コマンドとを含む実行コマンド情報が格納された実行コマンド情報テーブル、および操作先サーバを識別するサーバ識別情報と種別識別情報とを含む操作先サーバ情報が格納された操作先サーバ情報テーブルを有するシステム操作装置におけるシステム操作方法であって、
システム操作端末からサーバ識別情報と操作識別情報とを含む操作要求情報を受信すると、当該操作要求情報に含まれるサーバ識別情報を含む操作先サーバ情報を前記操作先サーバ情報テーブルから取得し、当該取得した操作先サーバ情報に含まれる種別識別情報と前記操作要求情報に含まれる操作識別情報とを含む実行コマンド情報を前記実行コマンド情報テーブルから取得し、前記受信した操作要求情報に含まれるサーバ識別情報で識別される操作先サーバに当該取得した実行コマンド情報に含まれる実行コマンドを実行させると判定する操作判定ステップと、
前記操作判定ステップにおいて実行させると判定された実行コマンドを含む実行指示を前記操作要求情報に含まれるサーバ識別情報によって識別される操作先サーバに送信し、当該操作先サーバから実行結果を受信すると、前記操作要求情報を送信したシステム操作端末に当該実行結果を返信するサーバ操作ステップと、
を備えることを特徴とする。
【発明の効果】
【０００９】
本発明によれば、実行コマンドが異なる複数の種類の操作先サーバを有する情報資源管理システムにおいて、各操作先サーバの管理する情報資源に共通の操作でアクセスすることができる。
【図面の簡単な説明】
【００１０】
【図１】本発明の実施形態に係るシステム操作サーバを有する情報資源管理システムの構成の一例を示す図である。
【図２】実行コマンド情報テーブルに登録される実行コマンド情報の構成の一例を示す図である。
【図３】操作先サーバ情報テーブルに登録される操作先サーバ情報の構成の一例を示す図である。
【図４】システム操作端末に表示される操作入力用Ｗｅｂ画面の構成の一例を示す図である。
【図５】システム操作端末に表示される実行結果表示用Ｗｅｂ画面の構成の一例を示す図である。
【図６】システム操作サーバの処理の流れの一例を示すフローチャートである。
【発明を実施するための形態】
【００１１】
以下、本発明の実施形態に係るシステム操作装置およびシステム操作方法について図面を参照しながら説明する。なお、実施形態を説明する全図において、共通の構成要素には同一の符号を付し、繰り返しの説明を省略する。
【００１２】
図１は、本発明の実施形態に係るシステム操作サーバ１１０を有する情報資源管理システム１００の構成の一例を示す。
情報資源管理システム１００は、本発明のシステム操作装置の一例であるシステム操作サーバ１１０と、システム操作端末１２０と、情報資源を管理する複数の操作先サーバ１３０ａ、１３０ｂ、１３０ｎとから構成される。
システム操作サーバ１１０とシステム操作端末１２０とは、ネットワーク１４０に接続されている。システム操作サーバ１１０はＷｅｂサーバの機能を有し、システム操作端末１２０はＷｅｂブラウザを備える。システム操作サーバ１１０とシステム操作端末１２０とは、ＨＴＴＰ（Ｈｙｐｅｒｔｅｘｔ  Ｔｒａｎｓｆｅｒ  Ｐｒｏｔｏｃｏｌ）にて通信する。
また、システム操作サーバ１１０と操作先サーバ１３０ａ、１３０ｂ、１３０ｎ（以下、操作先サーバ１３０という。）とは、ネットワーク１４１に接続されている。システム操作サーバ１１０と操作先サーバ１３０は、ＳＳＨ（Ｓｅｃｕｒｅ  Ｓｈｅｌｌ）によって相互に通信可能である。ただし、他の通信アプリケーションによっても通信接続可能であり、データ通信を行えるものであれば、限定されるものではない。
なお、ネットワーク１４０とネットワーク１４１は共通の１つのネットワークであってもよい。
【００１３】
システム操作サーバ１１０は、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成される主メモリと、ハードディスク等で構成される記憶装置とを有する。
システム操作サーバ１１０の記憶装置には、実行コマンド情報テーブル１１３と、操作先サーバ情報テーブル１１４と、システム操作プログラムとが格納されている。システム操作サーバ１１０のＣＰＵが記憶装置からシステム操作プログラムを主メモリに読み出して実行することで、操作判定部１１１とサーバ操作部１１２との各部の機能が実現される。
操作判定部１１１は、システム操作端末１２０から受信した操作要求情報１５１と、実行コマンド情報テーブル１１３に登録された実行コマンド情報と、操作先サーバ情報テーブル１１４に登録された操作先サーバ情報とに基づいて、操作先サーバ１３０の管理する情報資源１３１ａ、１３１ｂ、１３１ｎ（以下、情報資源１３１以下という）へのアクセス方法（コマンド）を判定する。
サーバ操作部１１２は、操作判定部１１１にて判定したコマンドを操作先サーバ１３０に実行させ、その実行結果を受信する。
【００１４】
システム操作端末１２０は、システム操作者が専用の操作入力用Ｗｅｂ画面を操作することで、システム操作サーバ１１０に操作要求情報１５１を送信する。システム操作サーバ１１０が受け取った操作要求情報１５１に基づいて、操作判定部１１１はコマンドを判定し、サーバ操作部１１２はコマンドを含む実行指示１５２を操作先サーバ１３０へ送信する。
操作先サーバ１３０は実行指示１５２に含まれるコマンドに基づき動作し、その結果をサーバ操作部１１２へ返信する。サーバ操作部１１２は受信した結果をシステム操作端末１２０へ返信する。この結果、システム操作端末１２０の実行結果表示用Ｗｅｂ画面に操作先サーバ１３０でコマンドを実行した結果が表示される。これにより、システム操作者はシステム操作端末１２０でのＷｅｂ画面操作のみで操作先サーバ１３０にて管理している情報資源１３１にアクセスすることができる。
【００１５】
ここで、操作先サーバ１３０のＯＳ（Ｏｐｅｒａｔｉｎｇ Ｓｙｓｔｅｍ）やシェルの種別が異なる場合、各操作先サーバ１３０により情報資源１３１へアクセスするためのコマンドが異なる。例えば「稼働プロセスの一覧を表示する」という操作に対し、ＯＳがＷｉｎｄｏｗｓ（登録商標）である操作先サーバ１３０の場合、「ｔａｓｋｌｉｓｔ」というコマンドを実行することで稼働プロセスの一覧を表示させることができる。一方、ＵＮＩＸ（登録商標）系ＯＳの場合、「ｐｓ」というコマンドを実行する。
システム操作サーバ１１０の実行コマンド情報テーブル１１３にはＯＳやシェルの種別毎にコマンドが登録されており、操作先サーバ情報テーブル１１４には各操作先サーバ１３０のＯＳやシェルの種別が登録されている。操作判定部１１１は、複数の操作先サーバ１３０に適切なコマンドを実行させるため、実行コマンド情報テーブル１１３と操作先サーバ情報テーブル１１４とを参照し、各操作先サーバ１３０がどのコマンドを使用するか判定する。
【００１６】
図２は、実行コマンド情報テーブル１１３に登録される実行コマンド情報の構成の一例を示す。
実行コマンド情報は、操作ＩＤ２０１と、アクセス種別２０２と、実行コマンド２０３とから構成される。
操作ＩＤ２０１は、「稼働プロセスの一覧を表示する」などのシステム操作者の操作に対して割り振られており、システム操作者の操作を一意に識別する操作識別情報である。
アクセス種別２０２は、操作先サーバ１３０のＯＳおよび／またはシェルの種別を一意に識別する種別識別情報である。
実行コマンド２０３は、「ｔａｓｋｌｉｓｔ」や「ｐｓ」などの操作先サーバで実行されるコマンドである。
なお、アクセス種別２０２が「Ｎｕｌｌ」である場合、全ての操作先サーバ１３０で実行コマンド２０３が共通であることを示す。
【００１７】
図３は、操作先サーバ情報テーブル１１４に登録される操作先サーバ情報の構成の一例を示す。
操作先サーバ情報は、サーバＩＤ３０１と、アクセス種別３０２とから構成される。
サーバＩＤ３０１は、操作先サーバ１３０を一意に識別するサーバ識別情報である。
アクセス種別３０２は、操作先サーバ１３０のＯＳおよび／またはシェルの種別を一意に識別する種別識別情報である。
【００１８】
システム操作端末１２０はシステム操作サーバ１１０に操作ＩＤとサーバＩＤを含む操作要求情報１５１を送信する。このとき、操作要求情報１５１に含まれるサーバＩＤは単一、または複数である。操作判定部１１１は、受け取った操作要求情報１５１に含まれるサーバＩＤにより操作先サーバ情報テーブル１１４を検索し、操作要求情報１５１に含まれるサーバＩＤ毎にアクセス種別３０２を取得する。そして、操作判定部１１１は、操作要求情報１５１に含まれる操作ＩＤと、操作先サーバ情報テーブル１１４から読み出したアクセス種別３０２との組み合わせにより実行コマンド情報テーブル１１３を検索し、実行コマンド２０３を取得する。操作判定部１１１はサーバ操作部１１２に、実行コマンド２０３とサーバＩＤ３０１とを含むシステム操作実行情報１５３を渡す。この時、システム操作情報１５３に含まれる実行コマンド２０３とサーバＩＤ３０１は組みであり、単一、または複数の組みである。
サーバ操作部１１２は受け取ったシステム操作実行情報１５３に含まれる組み毎にサーバＩＤ３０１の示す操作先サーバ１３０に、実行コマンド２０３を含む実行指示１５２を送信する。この時、操作先サーバ１０３ａへのコマンドと操作先サーバ１０３ｎへのコマンドは異なる。
サーバ操作部１１２は、全ての組みに対し操作先サーバ１３０からの応答を受信すると、応答結果をまとめてシステム操作端末１２０へ返信する。システム操作端末１２０は実行結果表示用Ｗｅｂ画面に操作先サーバ１３０でのコマンド実行結果を表示する。
【００１９】
図４は、システム操作端末１２０に表示される操作入力用Ｗｅｂ画面４００の構成の一例を示す。
操作入力用Ｗｅｂ画面４００は、操作内容選択欄４０１と、操作先サーバ選択欄４０２と、操作実行ボタン４０３とを含む。操作入力用Ｗｅｂ画面４００は、システム操作者の操作を受け付ける。
システム操作者が、操作内容選択欄４０１で操作内容を選択し、操作先サーバ選択欄４０２で操作先サーバを選択し、操作実行ボタン４０３をクリックすると、システム操作端末１２０はシステム操作サーバ１１０に操作要求情報１５１を送信する。
【００２０】
図５は、システム操作端末１２０に表示される実行結果表示用Ｗｅｂ画面５００の構成の一例を示す。
実行結果表示用Ｗｅｂ画面５００には、操作先サーバ１３０毎に実行結果が表示される。システム操作者は図５の実行結果表示用Ｗｅｂ画面５００に表示されたコマンド実行結果を操作先サーバ１３０毎に確認する。
【００２１】
例えば、図４に示すように、操作入力用Ｗｅｂ画面４００の操作内容選択欄４０１で「稼働プロセスの一覧を表示する」という操作が選択され、操作先サーバ選択欄４０２で「Ｓｖｒ００１」と「Ｓｖｒ００２」が選択され、操作実行ボタン４０３がクリックされると、システム操作端末１２０は、「稼働プロセスの一覧を表示する」という操作を操作ＩＤ「Ｏｐｅ００１」に変換し、操作ＩＤ２０１「Ｏｐｅ００１」、およびサーバＩＤ３０１「Ｓｖｒ００１」と「Ｓｖｒ００２」を含む操作要求情報１５１をシステム操作サーバ１１０に送信する。
このとき、システム操作サーバ１１０は、操作要求情報１５１に操作ＩＤ２０１「Ｏｐｅ００１」、およびサーバＩＤ３０１「Ｓｖｒ００１」と「Ｓｖｒ００２」が含まれているので、サーバＩＤ「Ｓｖｒ００１」である操作先サーバ１０３に実行コマンド「ｔａｓｋｌｉｓｔ」を含む実行指示１５２を送信し、サーバＩＤ「Ｓｖｒ００２」である操作先サーバ１３０に実行コマンド「ｐｓ」を含む実行指示１５２を送信する。
サーバＩＤ「Ｓｖｒ００１」である操作先サーバ１０３とサーバＩＤ「Ｓｖｒ００２」である操作先サーバ１３０はそれぞれ実行コマンド「ｔａｓｋｌｉｓｔ」と実行コマンド「ｐｓ」を実行し、実行結果をシステム操作サーバ１１０に返信する。
サーバ操作部１１２は、両方の操作先サーバ１３０からの応答を受信すると、応答結果をまとめてシステム操作端末１２０へ返信する。システム操作端末１２０は、図５に示す実行結果表示用Ｗｅｂ画面５００にその応答結果を表示する。
【００２２】
システム操作端末１２０を操作するシステム操作者は「Ｓｒｖ００１」「Ｓｒｖ００２」の実行コマンドを意識することなく、「稼働プロセスの一覧を表示する」という操作内容のみ意識すればよい。なお、システム操作端末１２０にて「稼働プロセスの一覧を表示する」という操作を操作ＩＤ２０１「Ｏｐｅ００１」に変換するという機能が必要となるが、この機能は既知のものであるため、説明は省略する。
これにより、システム操作者の操作は直感的に分かりやすいものとなる。また、操作判定部１１１を導入することで、実行コマンドの異なる複数の操作先サーバ１３０に対し、一括操作が可能となるため、操作回数が減る。これらの効果によりシステム操作者による操作ミスを低減することができる。
【００２３】
図６は、システム操作サーバ１１０の処理の流れの一例を示すフローチャートである。
操作判定部１１１は、操作要求情報１５１を受信する（Ｓ１０１）と、操作要求情報１５１に含まれるサーバＩＤ毎にステップＳ１２からＳ１４までを繰り返す（Ｓ１１、Ｓ１５）。操作判定部１１１は、まず、操作要求情報１５１に含まれるサーバＩＤ毎に操作先サーバ情報テーブル１１４からアクセス種別３０２を取得する（Ｓ１２）。次に、操作判定部１１１は、ステップＳ１２で取得したアクセス種別３０２と操作要求情報１５１に含まれる操作ＩＤより実行コマンド情報テーブル１１３から実行コマンド２０３を取得する（Ｓ１３）。そして、操作判定部１１１は、操作要求情報１５１に含まれるサーバＩＤとステップＳ１３にて取得した実行コマンド２０３を用いて、システム操作実行情報１５３を作成し（Ｓ１４）、サーバ操作部１１２に渡す。操作要求情報１５１にサーバＩＤが複数含まれる場合、各サーバＩＤに対し、ステップＳ１２〜Ｓ１４を繰り返す（Ｓ１１、Ｓ１５）。
その後、サーバ操作部１１２は、システム操作実行情報１５３の各エントリーに対し、ステップＳ１７とＳ１８を実行する（Ｓ１６、Ｓ１９）。サーバ操作部１１２は、まず、操作先サーバ１３０に実行コマンド２０３を含む実行指示１５２を送信する（Ｓ１７）。操作先サーバ１３０は、実行指示１５２を受信すると、実行コマンド２０３を実行し、情報資源へアクセスする。そして、操作先サーバ１３０は実行結果を送信する。サーバ操作部１１２は、実行結果を受信する（Ｓ１８）。
サーバ操作部１１２は、システム操作実行情報１５２の全てのエントリーに対して実行指示の送信（Ｓ１７）、及び実行結果の受信（Ｓ１８）を実行した後、各操作先サーバ１３１からの応答をまとめてシステム操作端末１２０へ結果を返信する（Ｓ２０）。システム操作端末１２０は各操作先サーバ１３０でのコマンド実行結果を実行結果表示用Ｗｅｂ画面５００に表示する。
【００２４】
以上説明したように、本発明によれば、次のような効果がある。
（１）情報資源へアクセスする際、情報資源へのアクセス方法をシステム操作者が判断する必要がなく、システム操作者の操作が簡略化できるため、誤操作の危険性を低減することができる。
（２）複数の情報資源にアクセスする際、各情報資源へのアクセス方法が異なる場合でも一括アクセスが可能となり、操作回数を減らすことができるため、誤操作の危険性を低減することができる。
【符号の説明】
【００２５】
１１０…システム操作サーバ、１２０…システム操作端末、１０３ａ，１０３ｂ，１０３ｎ…操作先サーバ、１１１…操作判定部、１１２…サーバ操作部、１１３…実行コマンド情報テーブル、１１４…操作先サーバ情報テーブル、１３１ａ，１３１ｂ，１３１ｎ…情報資源
【図１】
2015184889.tif 000003
【図２】
2015184889.tif 000004
【図３】
2015184889.tif 000005
【図４】
2015184889.tif 000006
【図５】
2015184889.tif 000007
【図６】
2015184889.tif 000008